(57)【要約】【課題】無線リンク、すなわちＷＴＲＵとｅＮＢ間のリンクの誤動作および機能不全は、例えば、遮蔽、フェーディング、干渉、または移動性に起因する他の事故等の様々な理由で発生する可能性がある。無線リンクまたはＷＴＲＵの回復手順をタイミングよく開始するためには、無線リンク障害（ＲＬＦ）の迅速な検出が重要である。【解決手段】サービスデータは無線通信システムにおいて送信される。システムのセルの無線送受信ユニット（ＷＴＲＵ）において無線リンク障害（ＲＬＦ）を検出する方法および装置は、ＷＴＲＵが間欠受信（ＤＲＸ）オン期間中に一連の無線リンク測定を行うことと、一連の無線リンク測定の各々を閾値と比較することと、一連の無線リンク測定が同期外れ状態を示していると判断することとを含む。【選択図】図７
2014103682.tif 000002
【特許請求の範囲】
【請求項１】
無線送受信ユニット（ＷＴＲＵ）における無線リンク障害（ＲＬＦ）を判定する方法であって、
間欠受信（ＤＲＸ）モードにおいて、一連の無線リンク測定を行うステップと、
前記一連の無線リンク測定に基づいて、所定の数の連続した同期外れ状態を検出するステップと、
前記所定の数の連続した同期外れ状態を検出するとすぐに、タイマを開始するステップと、
ＤＲＸモードで動作している間に、前記タイマが終了しまたは停止するまで、非ＤＲＸモードに対応する評価期間を使用して前記一連の無線リンク測定を継続するステップとを備え、
前記タイマは、前記継続された一連の無線リンク測定に基づいて、所定の数の連続した同期した状態を検出したときに、停止されることを特徴とする方法。
【請求項２】
前記一連の無線リンク測定に基づいて同期成立状態を検出し、
前記タイマを停止し、
非ＤＲＸモードに対応する前記評価期間を使用した前記一連の無線リンク測定を停止する
ことを特徴とする請求項１に記載の方法。
【請求項３】
前記タイマが満了したことを判定するステップと、
無線リンク障害が検出されたと判定するステップと
をさらに備えることを特徴とする請求項１に記載の方法。
【請求項４】
前記測定の時間、同期成立測定の時間、カウンタ値、および定数に基づいて、スリープ期間中の測定の回数を決定するステップをさらに備えることを特徴とする請求項１に記載の方法。
【請求項５】
前記一連の無線リンク測定について、測定の回数を決定するステップをさらに備えることを特徴とする請求項１に記載の方法。
【請求項６】
前記ＷＴＲＵが、基準信号品質を判定して無線リンク障害を判定するステップをさらに備えることを特徴とする請求項１に記載の方法。
【請求項７】
前記ＷＴＲＵが、ダウンリンクチャネルのブロックエラー率を判定して、無線リンク障害を判定するステップをさらに備えることを特徴とする請求項１に記載の方法。
【請求項８】
前記ＷＴＲＵが、無線ネットワーク一時的識別子（ＲＮＴＩ）を解読するステップをさらに備えることを特徴とする請求項７に記載の方法。
【発明の詳細な説明】
【背景技術】
【０００１】
本発明は無線通信に関する。
【０００２】
第３世代パートナーシッププロジェクト（３ＧＰＰ）は、スペクトル効率の改善とより高速なユーザエクスペリエンス（ユーザ体験）を提供するために、新しい技術、新しいネットワークアーキテクチャ、新しい設定、ならびに新しいアプリケーションおよびサービスを無線ネットワークにもたらす、ロング・ターム・エボリューション（ＬＴＥ；次世代データ通信規格）のプログラムを着手している。
【０００３】
図１に、従来技術による拡張汎用移動通信システム（ＵＭＴＳ）の地上無線アクセスネットワーク（Ｅ−ＵＴＲＡＮ）１００の概要を示す。図１に示すように、Ｅ−ＵＴＲＡＮ１００は３つのｅＮｏｄｅＢ（ｅＮＢ）１０２を含んでいるが、任意の数のｅＮＢをＥ−ＵＴＲＡＮ１００に含ませることができる。ｅＮＢ１０２は、Ｘ２インタフェース１０８で相互に接続されている。ｅＮＢ１０２は、Ｓ１インタフェース１０６により拡張パケットコア（ＥＰＣ）１０４にも接続されており、ＥＰＣ１０４は、モビリティ管理エンティティ（ＭＭＥ）１０８およびサービングゲートウェイ（Ｓ−ＧＷ）１１０を含んでいる。
【０００４】
図２に、従来技術によるＬＴＥユーザプレーンのプロトコルスタック２００を示す。プロトコルスタック２００は、無線送受信ユニット（ＷＴＲＵ）２１０に置かれ、パケットデータ制御プロトコル層（ＰＤＣＰ）２０２、無線リンク制御層（ＲＬＣ）２０４、メディアアクセス制御層（ＭＡＣ）２０６、および物理層（ＰＨＹ）２０８を含む。プロトコルスタック２００は、ｅＮＢ（図示せず）内にあっても良い。
【０００５】
図３に、図２のＷＴＲＵ２１０のＬＴＥ制御プレーンのプロトコルスタック３００を示す。制御プレーンプロトコルスタック３００は、非アクセス階層（ＮＡＳ）３０２および無線リソース制御（ＲＲＣ）３０４を含む。制御プレーンプロトコルスタック３００には、ＰＤＣＰ３０６、ＲＬＣ３０８、およびＭＡＣ３１０も含まれ、これらは共にレイヤ２のサブレイヤ３１２を形成する。
【０００６】
無線リンク、すなわちＷＴＲＵとｅＮＢ間のリンクの誤動作（ｍａｌｆｕｎｃｔｉｏｎ；機能不良とも称する）および機能不全（ｄｙｓｆｕｎｃｔｉｏｎ；機能障害とも称する）は、例えば、遮蔽、フェーディング、干渉、または移動性に起因する他の事故等の様々な理由で発生する可能性がある。無線リンクまたはＷＴＲＵの回復手順をタイミングよく開始するためには、無線リンク障害（ＲＬＦ）の迅速な検出が重要である。通例、ＲＬＦの検出は、イベントフィルタリングと結合した物理層エンティティで行われるダウンリンク信号の測定を含み、それにより、ＷＴＲＵは、問題が検出された後に次の動作としての一連の処置を決定することができる。
【０００７】
ダウンリンクの測定を行いながら、ＷＴＲＵの物理層（ＰＨＹ）エンティティ（レイヤ１）は、「同期外れ(ｏｕｔ−ｏｆ−ｓｙｎｃｈ)」または「同期成立（ｉｎ−ｓｙｎｃｈ）」の測定結果をＲＲＣエンティティに知らせるように構成することができる。ＷＴＲＵは、同期外れ結果の回数（個数）を計数するように構成されている。同期外れ結果の回数は、例えばカウンタＮ３１０等のカウンタで計数することができる。ＲＲＣエンティティが同期外れ結果を特定回数だけ数えると、ＷＴＲＵ内のＲＲＣエンティティはタイマを開始するように構成される。例えば、ＷＴＲＵは、Ｔ３１０タイマと称されるタイマを開始することができる。Ｔ３１０タイマが別の理由で停止される前に満了した場合には、ＷＴＲＵは、ＲＬＦが発生したと判断するように構成されている。
【０００８】
図４に、従来技術による間欠受信（ＤＲＸ;不連続受信とも称する）のサイクル４００を示す。ＬＴＥ準拠のＷＴＲＵおよびｅＮＢには、節電の目的、特にＷＴＲＵのバッテリを節減するために、接続状態ＤＲＸが導入された。接続状態ＤＲＸモードにある時に、ＷＴＲＵは、ある時間にわたって「シャットダウン」して、使用電力を少なくすることができる。図４に示すように、ＤＲＸサイクル（４０２、４０４、４０６）中、ＷＴＲＵは、オン期間（ｏｎ−ｄｕｒａｔｉｏｎ；ＯＮ区間とも称する）（４０８、４１０、４１２）中において送信および受信することができ、スリープ期間（ｓｌｅｅｐ  ｄｕｒａｔｉｏｎ；スリープ区間、休止期間、休眠期間とも称する）（４１４、４１６、４１８）中では送信も受信も行わない。ｅＮＢはＷＴＲＵのＤＲＸサイクルと同期することができるため、ＷＴＲＵがスリープ期間内にある間は送信を行わず、また通信を受信することも期待されていない。
【０００９】
３つのパラメータをＷＴＲＵおよびｅＮＢが使用して、ＷＴＲＵのＤＲＸサイクルを定義することができる。ＤＲＸオン／オフ、ＤＲＸ期間、および非ＤＲＸタイマは、ＷＴＲＵのＤＲＸサイクルを判定するためにネットワークコンポーネントが用いることができる、割り当てられた値であるとすることができる。
【００１０】
ＬＴＥ準拠のＷＴＲＵは、複数の状態で動作するように構成することもでき、各状態は、ＷＴＲＵがどのように機能することができるかを全般的に定義している。ＲＲＣ＿ｃｏｎｎｅｃｔｅｄ状態は、ＷＴＲＵが機能することが可能な、事前定義された状態のセットの１つである。ＲＲＣ＿ｃｏｎｎｅｃｔｅｄ状態にある時、ＷＴＲＵは、ＤＲＸモードで動作するように構成することもできる。
【発明の概要】
【発明が解決しようとする課題】
【００１１】
ＷＴＲＵがＲＲＣ＿ｃｏｎｎｅｃｔｅｄ状態の時にＤＲＸモードで動作するようにネットワークによって構成された場合、ＷＴＲＵは、ＤＲＸサイクルのスリープ期間部分ではＲＬＦについてのダウンリンク測定を行わないように構成されるであろう。ＷＴＲＵは、ＤＲＸオン期間およびアクティブ期間にのみ、ＲＬＦに関するダウンリンク無線信号の測定を行うように構成されるであろう。
【課題を解決するための手段】
【００１２】
ＷＴＲＵ中で無線リンク障害（ＲＬＦ）を検出するための方法および装置が開示されている。この方法および装置は、ＷＴＲＵが間欠受信（ＤＲＸ）オン期間中に一連の無線リンク測定を行うステップと、一連の無線リンク測定の各々を閾値と比較するステップと、一連の無線リンク測定が同期外れ状態を示していると判定するステップとを含むことができる。ＷＴＲＵは、タイマを開始し、ＤＲＸスリープ期間中に一連の無線リンク測定を継続してもよい。ＷＴＲＵは、タイマが満了したことを判定し、一連の無線リンク測定を停止しても良い。
【００１３】
添付図面と併せて例として与えられる以下の説明から、より詳細な理解を得ることができる。            
【発明の効果】
【００１４】
以上説明したように、本発明により、ＷＴＲＵ中で無線リンク障害（ＲＬＦ）を検出するための方法および装置が提供される。
【図面の簡単な説明】
【００１５】
【図１】従来技術による拡張汎用移動通信システム（ＵＭＴＳ）地上無線アクセスネットワーク（Ｅ−ＵＴＲＡＮ）１００の概要を示す図である。
【図２】従来技術によるＬＴＥユーザプレーンのプロトコルスタック２００を示す図である。
【図３】図２のＷＴＲＵ２１０のＬＴＥ制御プレーンのプロトコルスタック３００を示す図である。
【図４】従来技術によるＷＴＲＵのＤＲＸサイクルを示す図である。
【図５】複数のＷＴＲＵおよびｅＮＢを含む例示的の無線通信システムを示す図である。
【図６】図２のＷＴＲＵおよびｅＮＢの機能ブロック図である。
【図７】一実施形態によるＲＬＦを判定する方法を示す図である。
【図８】別の実施形態によるＲＬＦ検出の方法を示す図である。
【図９】さらに別の実施形態によるＲＬＦ検出の方法を示す図である。
【発明を実施するための形態】
【００１６】
以下で言及する際、用語「無線送受信ユニット（ＷＴＲＵ）」は、これらに限定されないが、ユーザ機器（ＵＥ）、モバイル局、固定またはモバイル加入者ユニット、ページャ、セルラ電話、携帯情報端末（ＰＤＡ）、コンピュータ、または無線環境で動作することが可能な任意の他種のユーザデバイスを含む。以下で言及する際、用語「基地局」は、これらに限定されないが、Ｎｏｄｅ−Ｂ、サイトコントローラ、アクセスポイント（ＡＰ）、または無線環境で動作することが可能な任意の他種のインタフェースデバイスを含む。
【００１７】
図５は、複数のＷＴＲＵ５１０およびｅＮＢ５２０を含む無線通信システム５００を示す図である。図５に示すように、ＷＴＲＵ５１０はｅＮＢ５２０と通信状態にあり、ｅＮＢ５２０は、図１に示す要領で相互と通信状態にあることができる。図５には３つのＷＴＲＵ５１０および１つのｅＮＢ５２０を示すが、無線通信システム５００には、無線デバイスと有線デバイスの任意の組み合わせが含まれてよいことに留意されたい。
【００１８】
図６は、図５の無線通信システム５００のＷＴＲＵ５１０およびｅＮＢ５２０の機能ブロック図６００である。図６に示すように、ＷＴＲＵ５１０はｅＮＢ５２０と通信状態にある。ＷＴＲＵは、ＤＲＸモードまたは非ＤＲＸモードで機能するように構成されている。ＷＴＲＵは、ＲＲＣ＿ｃｏｎｎｅｃｔｅｄ状態またはＲＲＣ−Ｉｄｌｅ状態で機能することもできる。ＷＴＲＵは、ＤＲＸモードおよび非ＤＲＸモードでＲＬＦ判定の方法を行うように構成することができる。
【００１９】
典型的なＷＴＲＵに見られるコンポーネントに加えて、ＷＴＲＵ５１０は、プロセッサ６１５、受信機６１６、送信機６１７、およびアンテナ６１８を含む。プロセッサ６１５は、ＲＲＣ＿ｃｏｎｎｅｃｔｅｄ状態の判定およびＤＲＸモードでのＲＬＦ判定のための方法を行うように構成されている。受信機６１６および送信機６１７は、プロセッサ６１５と通信状態にある。アンテナ６１８は、受信機６１６および送信機６１７の両方と通信状態にあって、無線データの送信および受信を容易にする。
【００２０】
典型的な基地局に見られるコンポーネントに加えて、ｅＮＢ５２０は、プロセッサ６２５、受信機６２６、送信機６２７、およびアンテナ６２８を含む。プロセッサ６２５は、ＲＲＣ＿ｃｏｎｎｅｃｔｅｄ状態の判定およびＤＲＸモードでのＲＬＦ判定のための方法を行うように構成されている。受信機６２６および送信機６２７は、プロセッサ６２５と通信状態にある。アンテナ６２８は、受信機６２６および送信機６２７の両方と通信状態にあって、無線データの送信および受信を容易にする。
【００２１】
図７は、一実施形態によるＲＬＦを判定する方法７００を示す図である。各ＤＲＸサイクル（７０２、７０４、７０６）は、オン期間（７０８、７１０、７１２）を含む。測定（７１４〜７３２）は、各オン期間（７０８、７１０、７１２）に行うことができる。各測定結果（７１４〜７３２）は、閾値ＱｉｎおよびＱｏｕｔと比較される。Ｑｉｎは、同期成立動作の閾値であり、ダウンリンクの無線品質が同期外れの閾値（Ｑｏｕｔ）の時と比べて、大幅に高い確実性で受信できるレベルと定義される。Ｑｏｕｔは同期外れの閾値であり、ダウンリンクの無線リンクを確実に受信できないレベルと定義される。ＲＬＦの評価は、ＰＨＹエンティティによって受け取られ、上位層エンティティに送信されたＱｉｎおよびＱｏｕｔの結果の回数に基づくことができる。
【００２２】
図７に示すように、最初のオン期間７０８では、第１の測定７１４が同期成立（Ｑｉｎ）閾値をクリアし、一方、第２の測定７１８および第３の測定７２０は同期外れ（Ｑｏｕｔ）閾値に達しなかった。この結果、最初のＤＲＸサイクル７０２は同期外れであると判定される。２番目のＤＲＸサイクル７０４では、第２のオン期間７１０中に、第１の測定７２２、第２の測定７２４、および第３の測定７２６が各々同期外れであると判定される。３番目のＤＲＸサイクル７０６では、第３のオン期間７１２中に、第１の測定７２８、第２の測定７３０、および第３の測定７３２が各々同期外れであると判定される。
【００２３】
図７で、ＷＴＲＵは、ＲＲＣ＿ｃｏｎｎｅｃｔｅｄ状態でＤＲＸモードで動作している。ＲＬＦ評価は、より長い継続的な期間にわたる測定結果を評価するのではなく、所定回数の連続したＤＲＸオン期間（ＮRLF-durations）の測定状態に基づくことができる。図７に示すように、ＮRLF-durationsは３に等しく、ＲＬＦの分析は、第１のＤＲＸサイクル７０２の測定結果（同期外れ）、第２のＤＲＸサイクル７０４の測定結果（同じく同期外れ）、および第３のＤＲＸサイクル７０６の測定結果（同じく同期外れ）に依存することができる。
【００２４】
ＮRLF-durationsは、いくつかの基準に基づいて決定することができる。例えば、ＮRLF-durationsは、ＷＴＲＵにあらかじめ設定された、またはネットワークから通知される固定数とすることができる。ＮRLF-durationsは、例えばＮ３１３等のカウンタの値、またはカウンタ値を整数Ｍで除した値としてもよく、Ｍは、タイマ値をオン期間で除した値である。ＮRLF-durationsは、ＮRLF-durations＝（Ｔ３１０／オン持続期間）のように、ＷＴＲＵによって算出される、タイマＴ３１０等のタイマの長さ、通知されたオン期間の長さの関数としても、または、ＤＲＸサイクル長、例えばメディアアクセス制御（ＭＡＣ）ＤＲＸサイクル、長いＤＲＸサイクル、および短いＤＲＸサイクルの関数として、任意でオン期間タイマの長さを含めてもよい。
【００２５】
オン期間タイマの長さは、ネットワークで設定してＷＴＲＵに送信することができる。オン期間タイマの長さは、ＷＴＲＵで算出されてもよい。ＲＬＦの算出に使用されるＤＲＸサイクル長と連続したオン期間の測定結果数は、反比例してよい。任意で、ＮRLF-durationsは、（設定されたＤＲＸ長）／（設定可能な最も短いＤＲＸ長）に等しくすることができる。別の選択肢として、ＮRLF-durationsは、ＤＲＸ長／Ｗに等しくすることもでき、Ｗは、ネットワークで設定された、または事前に設定された整数である。
【００２６】
再度図７を参照すると、各ＤＲＸサイクルの各オン持続期間（７０８、７１０、７１２）に、ＷＴＲＵの上位層エンティティは、測定されたＲＬＦ値を（ＰＨＹ）エンティティから受け取ることができる。ＰＨＹエンティティは、ＤＲＸサイクル単位で、ＷＴＲＵがネットワークと同期しているか、または同期外れの状態であるかを評価および判定することができる。ＰＨＹエンティティは次いで、測定データは渡さずに、ＭＡＣ層エンティティ、無線リソース制御（ＲＲＣ）層エンティティ、または無線リンク制御（ＲＬＣ）層エンティティ等の上位層に、「同期成立」または「同期外れ」を示すメッセージを送ることができる。ＰＨＹエンティティは、当該測定期間にわたり同期成立の測定結果または同期外れの測定結果が過半数を占めるかどうかを判断することにより、同期成立状態または同期外れ状態を送信する。それぞれの測定結果が同数の場合は、最後に帰ってきた測定結果を使用して、上位層に同期外れ状態を渡すか、同期成立状態を渡すかを決定する。
【００２７】
再度図７を参照すると、ＰＨＹエンティティは、第１のＤＲＸサイクル７０２については、２つの同期外れの測定結果（７１８、７２０）および１つのみの同期成立の測定結果（７１４）があるため、上位層には同期外れ状態を送信すべきであると判定することができる。同様に、第２のＤＲＸサイクル７０４および第３のＤＲＸサイクル７０６については、各サイクルのすべての測定結果が同期外れなので、ＰＨＹエンティティは、同期外れ状態の指示（インディケーション）を送信することになる。
【００２８】
ＷＴＲＵは、すべてのＮRLF-durationsのオン期間またはオン期間を含んでいるＤＲＸサイクルの測定結果が同期外れである時にのみ、ＲＬＦ状況が存在していると判断するように構成することができる。ＲＲＣは、Ｔ３１０タイマ等のタイマが満了し、ＷＴＲＵが非ＤＲＸモードにある場合と同じように、ＤＲＸモードのＷＴＲＵを扱うように構成することができる。あたかも、Ｔ３１０タイマのようなタイマが満了したあとＷＴＲＵが非ＤＲＸモードにあった場合と同じように、ＲＲＣは、ＤＲＸモードのＷＴＲＵを取り扱うように構成することができる。
【００２９】
ＷＴＲＵがＤＲＸモードの時には、ＤＲＸ運用の性質のために、ＲＬＦの測定が不連続になる可能性がある。ＤＲＸモードのＷＴＲＵについて、ＰＨＹ層エンティティは、ＷＴＲＵが非ＤＲＸモードにある時と異なるＱｏｕｔおよびＱｉｎ閾値を暗黙的に使用するように構成することができる。例えば、ＷＴＲＵがＤＲＸモードにある場合、ＰＨＹ層エンティティは、ＷＴＲＵが非ＤＲＸモードで使用できる閾値にオフセットを適用することができる。このオフセットは、ＱｏｕｔおよびＱｉｎの閾値を下げることができる。より低いＱｏｕｔ閾値は、ＤＲＸモードで同期外れ状態を宣言するために必要とされる測定値が非ＤＲＸモードよりも低いということを意味する。より低いＱｉｎ閾値は、ＤＲＸモードでは非ＤＲＸモードよりも容易に同期成立の測定値に会えることを意味する。したがって、ＤＲＸモードでは、同期成立状態に達するための要件は、非ＤＲＸモードよりも緩い。
【００３０】
ＷＴＲＵは、ＤＲＸモード中、ＲＬＦ状態の判定に別の調整を行なうことができる。ＤＲＸモード中、ＰＨＹエンティティは、オン期間が非ＤＲＸフィルタリングタイマより短い場合は、自身のフィルタリング時間を非ＤＲＸモードの時間からオン期間の長さ、または、それ以下まで減らすように構成することができる。例えば、非ＤＲＸのフィルタリング時間が２００ｍｓの場合、ＤＲＸモードでは、ＷＴＲＵは２００ｍｓよりも短い時間を使用することができる。この調整は、ネットワークから信号通知されたか、または事前に定義された、オフセットに基づいて、または有理数もしくは数値により、ＷＴＲＵによって行うことができる。ＤＲＸモードの短いフィルタリング時間は、ＷＴＲＵが測定を行なって、サービングセルのダウンリンクの無線リンク品質を検査するのに十分な時間であるべきである。
【００３１】
代替として、ＤＲＸモードにある間は、ＰＨＹエンティティは、すべての無線フレームを監視（モニタ）して、いくつか（ｍ）のＤＲＸ期間にわたって測定された、オン期間の間のみのダウンリンクの無線品質を、閾値（ＱｏｕｔおよびＱｉｎ）に照らして検査および測定するように構成してもよい。その数ｍは、ネットワークから通知されるパラメータ、またはチャネル条件に基づいてＷＴＲＵによって導出されるパラメータである。オン期間が１フレーム未満である場合は、ＷＴＲＵは、そのオン期間の間だけにわたるリンク品質を評価するように構成することができる。
【００３２】
別の実施形態では、各ＤＲＸサイクルのオン期間中に測定が行われる。ＷＴＲＵは、各オン期間の境界を過ぎて、ＤＲＸサイクルのスリープ期間部分に入っても測定を続けるとしてよい。これは、１つのまたは事前に設定された少ない数の連続したＱｏｕｔ測定結果が検出された時に発生する可能性がある。ＷＴＲＵは、オン期間の間に行われたすべての測定の平均値が同期外れの閾値未満である場合には、設定数の連続したＱｉｎが測定されるか、またはＲＬＦが宣言されるまで、スリープ期間中も測定を継続してよい。データ受信のＤＲＸロジックは変更せずにおくことができる。
【００３３】
ＷＴＲＵは、設定個数の連続したＱｏｕｔが検出されると、あたかもＷＴＲＵが非ＤＲＸモードで動作しているように、スリープ期間中にもＲＬＦ測定動作が継続するように構成することができる。したがって、ＷＴＲＵがＤＲＸモードであっても、例えばＲＬＦ回復タイマＴ３１０などのネットワーク設定時間を使用してＲＬＦ判定を計る非ＤＲＸのＲＬＦ検出基準を使用することができる。ただし、評価期間の長さ、例えば２００ｍｓが完了する前または完了した時に、同期成立条件が満たされる場合、例えば設定個数の連続したＱｉｎが検出された場合は、ＤＲＸサイクルの時間の非アクティブ部分ではＲＬＦ測定を停止することができる。
【００３４】
図８に、別の実施形態によるＲＬＦ検出の方法８００を示す。第１のＤＲＸサイクル８０２では、第１のオン期間８１０中に３回の測定（８０４、８０６、８０８）が行われる。第２のＤＲＸサイクル８１２では、第２のオン期間８２０中に３回の測定（８１４、８１６、８１８）が行われ、第２のＤＲＸサイクル８１２のスリープ期間８２８中に３回の測定（８２２、８２４、８２６）が行われる。ここでは、３回連続して同期外れの測定結果が検出されることが理由で発生する可能性があるとする。第３のＤＲＸサイクル８３０では、第３のオン期間８３２中に３回の測定（８３４、８３６、８３８）が行われる。
【００３５】
代替的実施形態では、ＷＴＲＵがＤＲＸモードにあり、特定個数の同期外れの測定結果が検出されると、ＷＴＲＵは、回復のためのタイマを開始することができる。ＷＴＲＵは、ＤＲＸサイクルのスリープ期間中にもＲＬＦ測定を続けることができる。回復測定の所要時間は、無線リンク回復のために必要とされる同期成立の測定結果の個数（回数）、または１回の同期成立測定の持続時間に比例することができる。所定個数のＱｏｕｔ測定結果が検出されると、ＲＬＦの測定は回復期間中に入っても継続することができる。回復期間は、ＷＴＲＵが、測定結果が改善しつつあるか、同期外れのままであるかを判定するために使用する期間である。回復期間中に測定結果が同期成立していると判定された場合、無線リンクはすでに改善している。同期成立していると判定されない場合は、ＷＴＲＵは、ＲＬＦが発生したと判断することができる。
【００３６】
代替として、測定は、タイマが満了するまで継続してもよい。これは、タイマの満了はＲＬＦを意味するためである。例えば、スリープ期間中に行われた測定の回数（「回復測定」（Ｎｒ）と呼ぶ）は、各々期間Ｄｒを有し、測定と測定の間にはＴｒの間隔があり、Ｎｒ×Ｄｒ＝Ｋ×（カウンタ値）×Ｔｉｎｓｙｎｃｈ（式１）であり、Ｋは所定の定数であり、Ｔｉｎｓｙｎｃｈは同期成立測定の所要時間である。さらに、Ｔｒ＝タイマ値／Ｎｒである。ＴｒがＤｒ以下である場合、回復測定は継続的に行う。タイマ値は、上位層エンティティフィルタが、ＲＬＦが判定される前に、無線リンクの同期外れ状態をキャンセルするために、ＰＨＹエンティティからいくつか（カウンタ値）の連続した同期成立信号を受け取るために許される期間である。
【００３７】
ＷＴＲＵは、ＤＲＸモードにある間は同期外れカウンタを使用することができる。同期外れカウンタの値は、ＤＲＸモードで使用されるＲＬＦタイマ、および各ＤＲＸサイクルにＰＨＹエンティティから上位層エンティティに送られる同期成立の指示の数または同期外れの指示の数に依存することができる。例えば、ＤＲＸモードの同期外れカウンタは、（（ＤＲＸモードタイマ値）／（ＤＲＸサイクル長））×（指示の数（Ｎｓｉｇｎｓ−Ｌｌ））に等しくすることができる。ＤＲＸモードタイマ値は、非ＤＲＸモードタイマの値にＤＲＸサイクル長を足した値に等しくすることができる。
【００３８】
Ｎｓｉｇｎｓ−Ｌ１は、オン期間タイマの値およびＤＲＸサイクル長によって決定することができる。短いＤＲＸサイクル長を有するＷＴＲＵの場合、Ｎｓｉｇｎｓ−Ｌ１は１に等しくすることができる。長いＤＲＸサイクル長を有するＷＴＲＵの場合、Ｎｓｉｇｎｓ−Ｌ１は、長いサイクル長を短いサイクル長で除した値に等しくすることができる。ＤＲＸモードについて、同期成立カウンタは、同期外れタイマに定数を足した、または同期外れタイマから定数を引いた数に基づくことができる。
【００３９】
ＷＴＲＵがスリープ期間中に基準信号（ＲＳ）品質または物理ダウンリンク制御チャネル（ＰＤＣＣＨ）ブロックエラー率（ＢＬＥＲ）を読み出し、それをＤＲＸスリープ期間の前に行われたＲＳ品質またはＰＤＣＣＨ  ＢＬＥＲの測定値と比較する場合に、ＷＴＲＵは、無線リンク品質およびＤＲＸサイクルが、ＲＬＦ検出時間に影響を及ぼさない可能性があると判定することができる。
【００４０】
ＷＴＲＵは、ＰＤＣＣＨを監視することができ、これは、セル無線ネットワーク一時的識別子（Ｃ−ＲＮＴＩ）、システム情報無線ネットワーク一時的識別子（ＳＩ−ＲＮＴＩ）、ページング無線ネットワーク一時的識別子（Ｐ−ＲＮＴＩ）、および、ＤＲＸサイクルのアクティブ期間中のすべての他の関連するＲＮＴＩを解読することを含む。監視は、ＷＴＲＵが特定のＤＲＸサイクルに同期外れの測定結果を検出した場合に起動することができる。ＲＮＴＩの解読が成功した場合、ＰＨＹエンティティは、同期成立の指示を上位層エンティティに送信することができる。ＲＮＴＩの解読が例えばＣＲＣ障害のために一定の試行回数にわたって失敗した場合、ＰＨＹエンティティは、同期外れの指示を上位層に送信することができる。
【００４１】
図９に、さらに別の実施形態によるＲＬＦ検出の方法９００を示す。ステップ９０２で、無線リンクステータスカウンタが、ＲＡＤＩＯ＿ＬＩＮＫ＿ＴＩＭＥＯＵＴのようなパラメータの値に設定される。このパラメータは事前に定義することができ、ＷＴＲＵがＲＬＦを判定するために必要とされる同期外れ信号の数に関係付けられる。ステップ９０４で、上位層エンティティフィルタが無線リンク監視指標を受け取り、ステップ９０６で表１の値に従って無線リンクステータスカウンタが更新される。各ＤＲＸサイクルで行われるステップ９０８で、ＷＴＲＵは、無線リンクステータスカウンタを読み出す。無線リンクステータスカウンタがゼロに等しくない場合、プロセスはステップ９０２に進む。無線リンクステータスカウンタがゼロに等しい場合は、ステップ９１０で、ＷＴＲＵはＲＬＦが発生していると判定することができるし、またはＷＴＲＵが回復タイマを開始することができる。
【００４２】
【表１】
2014103682.tif 000003
【００４３】
表１は、より大きな重みもしくは小さな重みを測定結果に与えることにより、またはより大きな重みもしくは小さな重みをＤＰＣＣＨ監視符号に与えることにより、変更を加えることができる。さらに、ＷＴＲＵが、一定した推定ＰＤＣＣＨ  ＢＬＥＲを得るために、ＰＤＣＣＨ  ＢＬＥＲは、最も短いＰＤＣＣＨフォーマットまたは最大の集約レベルに基づくことができる。
【００４４】
無線リンク回復のために、すなわち（Ｎ＜ＮRLF-durations）個の同期外れのインスタンス（事例）が報告された時、ＷＴＲＵは、ＮRLF-durations個またはＮRLF-durationsよりもわずかに小さい数の同期成立事例をリンク回復のために要求することができる。
【００４５】
実施形態
【００４６】
１．無線送受信ユニット（ＷＴＲＵ）における無線リンク障害（ＲＬＦ）のための方法であって、間欠受信（ＤＲＸ）オン期間中に一連の無線リンク測定を行うステップと、一連の無線リンク測定の各々を閾値と比較するステップと、一連の無線リンク測定が同期外れ状態を示すものであるかどうかを判断するステップとを含む方法。
【００４７】
２．タイマを開始するステップと、ＤＲＸスリープ期間中に一連の無線リンク測定を継続するステップとをさらに含む実施形態１の方法。
【００４８】
３．タイマが満了したと判定するステップと、一連の無線リンク測定を停止するステップとをさらに含む実施形態１の方法。
【００４９】
４．一連の無線リンク測定について、測定の回数を決定するステップをさらに含む実施形態１から３のいずれか１つの方法。
【００５０】
５．測定の所要時間、同期成立測定の所要時間、カウンタ値、および定数に基づいて、スリープ期間中の測定の回数を決定するステップをさらに含む実施形態４の方法。
【００５１】
６．ＷＴＲＵが基準信号品質を判定して無線リンク障害を判断するステップをさらに含む実施形態１から５のいずれか１つの方法。
【００５２】
７．ＷＴＲＵがダウンリンクチャネルのブロックエラー率を判定して無線リンク障害を判断するステップをさらに含む実施形態１から６のいずれか１つの方法。
【００５３】
８．ＷＴＲＵが無線ネットワーク一時的識別子（ＲＮＴＩ）を解読するステップをさらに含む実施形態１から７のいずれか１つの方法。
【００５４】
９．無線送受信ユニット（ＷＴＲＵ）において無線リンク障害を検出する方法であって、ステータスカウンタをある値に設定するステップと、無線リンク監視指標を受信するステップと、参照表から取得した値に基づいてステータスカウンタを更新するステップと、カウンタ値がゼロに等しいかどうかを判断するステップと、無線リンク障害が発生したかどうかを判断するステップとを含む方法。
【００５５】
１０．参照表は、無線リンクの測定およびダウンリンク制御チャネルの監視に基づく値を含む実施形態９の方法。
【００５６】
１１．無線リンク障害を判断するように構成された無線送受信ユニット（ＷＴＲＵ）であって、間欠受信（ＤＲＸ）オン期間中に一連の無線リンク測定を行うように構成された測定ユニットと、測定ユニットに電気的に結合されたプロセッサであって、一連の無線リンク測定各々を閾値と比較し、一連の無線リンク測定が同期外れ状態を示すものであるかどうかを判断するように構成されたプロセッサとを備えるＷＴＲＵ。
【００５７】
１２．タイマをさらに備え、プロセッサはさらにタイマを開始するように構成され、測定ユニットはさらに、ＤＲＸスリープ期間中に一連の無線リンク測定を継続するように構成される実施形態１１のＷＴＲＵ。
【００５８】
１３．プロセッサはさらに、タイマが満了したかどうかを判定し、一連の無線リンク測定を停止するように構成される実施形態１２のＷＴＲＵ。
【００５９】
１４．プロセッサはさらに、一連の無線リンク測定について、測定の回数を決定するように構成される実施形態１１から１３のいずれか１つのＷＴＲＵ。
【００６０】
１５．プロセッサはさらに、測定の所要時間、同期成立測定の所要時間、カウンタ値、および定数に基づいて、スリープ期間中の測定の回数を決定するように構成される実施形態１４のＷＴＲＵ。
【００６１】
１６．プロセッサはさらに、基準信号品質を判定して無線リンク障害を判断するように構成される実施形態１１から１５のいずれか１つのＷＴＲＵ。
【００６２】
１７．ＷＴＲＵがダウンリンクチャネルのブロックエラー率を判定して無線リンク障害を判断するステップをさらに含む実施形態１１から１６のいずれか１つのＷＴＲＵ。
【００６３】
１８．ＷＴＲＵが無線ネットワーク一時的識別子（ＲＮＴＩ）を解読するステップをさらに含む実施形態１７のＷＴＲＵ。
【００６４】
１９．無線リンク障害を検出するように構成された無線送受信ユニット（ＷＴＲＵ）であって、ステータスカウンタをある値に設定し、無線リンク監視指標を受信し、参照表から取得した値に基づいてステータスカウンタを更新し、カウンタ値がゼロに等しいかどうかを判定し、無線リンク障害が発生したかどうかを判断するように構成されたプロセッサを備えるＷＴＲＵ。
【００６５】
２０．参照表は、無線リンクの測定およびダウンリンク制御チャネルの監視に基づく値を含む実施形態１９のＷＴＲＵ。
【００６６】
特徴および要素について上記で特定の組み合わせで説明したが、各特徴または要素は、他の特徴および要素を用いずに単独で使用することができ、または、他の特徴および要素との各種組み合わせで、もしくは他の特徴および要素を用いない各種組み合わせで使用することができる。本明細書に提供される方法またはフローチャートは、汎用コンピュータまたはプロセッサによる実行のためにコンピュータ可読記憶媒体に組み込まれた、コンピュータプログラム、ソフトウェア、またはファームウェアとして実装することができる。コンピュータ可読記憶媒体の例には、読み取り専用メモリ（ＲＯＭ）、ランダムアクセスメモリ（ＲＡＭ）、レジスタ、キャッシュメモリ、半導体メモリデバイス、内部ハードディスクや取り外し可能ディスク等の磁気媒体、光磁気媒体、およびＣＤ−ＲＯＭディスクやデジタル多用途ディスク（ＤＶＤ）等の光学媒体が含まれる。
【００６７】
適切なプロセッサは、例として、汎用プロセッサ、特殊目的プロセッサ、従来型プロセッサ、ＤＳＰ（デジタル信号プロセッサ）、複数のマイクロプロセッサ、ＤＳＰコアと関連する１つまたは複数のマイクロプロセッサ、コントローラ、マイクロコントローラ、ＡＳＩＣ（特定用途集積回路）、ＦＰＧＡ（フィールドプログラム可能ゲートアレイ）回路、ならびに他の種のＩＣ（集積回路）および／または状態機械を含む。
【００６８】
ソフトウェアと関連したプロセッサを使用して、ＷＴＲＵ（無線送受信ユニット）、ＵＥ（ユーザ機器）、端末、基地局、ＲＮＣ（無線ネットワークコントローラ）、または任意のホストコンピュータで使用するための無線周波トランシーバを実装することができる。ＷＴＲＵは、ハードウェアおよび／またはソフトウェアとして実装されたモジュールと共に使用することができ、それらのモジュールは、カメラ、ビデオカメラモジュール、テレビ電話、スピーカ電話、振動デバイス、スピーカ、マイクロフォン、テレビジョントランシーバ、ハンドフリーヘッドセット、キーボード、Ｂｌｕｅｔｏｏｔｈ（登録商標）モジュール、ＦＭ（周波数変調）無線ユニット、ＬＣＤ（液晶ディスプレイ）表示デバイス、ＯＬＥＤ（有機発光ダイオード）表示デバイス、デジタル音楽プレーヤ、メディアプレーヤ、ビデオゲームプレーヤモジュール、インターネットブラウザ、および／または任意のＷＬＡＮ（無線ローカルエリアネットワーク）、もしくはＵＷＢ（超広帯域）モジュール等である。
【産業上の利用可能性】
【００６９】
本発明は、一般的に無線通信システムに利用することができる。
【符号の説明】
【００７０】
１０２、５２０  ｅＮＢ
２０２、３０６  ＰＤＣＰ
２０４、３０８  ＲＬＣ
２０６、３１０  ＭＡＣ
２０８  ＰＨＹ
３０２  ＮＡＳ
３０４  ＲＲＣ
５１０  ＷＴＲＵ
６１５、６２５  プロセッサ
６１６、６２６  受信機
６１７、６２７  送信機
【図１】
2014103682.tif 000004
【図２】
2014103682.tif 000005
【図３】
2014103682.tif 000006
【図４】
2014103682.tif 000007
【図５】
2014103682.tif 000008
【図６】
2014103682.tif 000009
【図７】
2014103682.tif 000010
【図８】
2014103682.tif 000011
【図９】
2014103682.tif 000012
【手続補正書】
【提出日】平成26年3月5日(2014.3.5)
【手続補正１】
【補正対象書類名】特許請求の範囲
【補正対象項目名】全文
【補正方法】変更
【補正の内容】
【特許請求の範囲】
【請求項１】
無線送受信ユニット（ＷＴＲＵ）における無線リンク障害（ＲＬＦ）を判定する方法において、
間欠受信（ＤＲＸ）モードにおいて、ＤＲＸモードに対応する評価期間を使用して、一連の無線リンク測定を実行するステップと、
前記一連の無線リンク測定に基づいて、所定の数の連続した同期外れ状態を検出するステップと、
前記所定の数の連続した同期外れ状態を検出すると、タイマを開始するステップと、
ＤＲＸモードにて動作している間に、非ＤＲＸモードに対応する評価期間を使用して、前記一連の無線リンク測定を継続するステップであって、非ＤＲＸモードに対応する前記評価期間は、ＤＲＸモードに対応する前記評価期間と異なっている、継続するステップと
を備えることを特徴とする方法。
【請求項２】
非ＤＲＸモードに対応する前記評価期間を使用する前記一連の無線リンク測定は、前記タイマが終了しまたは停止するまで、継続されることを特徴とする請求項１に記載の方法。
【請求項３】
前記継続された前記一連の無線リンク測定に基づいて、同期している状態を検出するステップと、
前記タイマを停止するステップと、
非ＤＲＸモードに対応する前記評価期間を使用して、前記継続された前記一連の無線リンク測定を停止するステップと
をさらに備えることを特徴とする請求項１に記載の方法。
【請求項４】
前記タイマが満了したことを決定するとすぐに、無線リンク障害が検出されたと決定するステップをさらに備えることを特徴とする請求項１に記載の方法。
【請求項５】
前記継続された前記一連の無線リンク測定は、前記タイマの満了または停止まで、ＤＲＸオン期間およびＤＲＸスリープ時間の間に実行されることを特徴とする請求項１に記載の方法。
【請求項６】
基準信号品質を決定して、無線リンク障害を決定するステップをさらに備えることを特徴とする請求項１に記載の方法。
【請求項７】
ダウンリンクチャネルのブロックエラー率を決定して、無線リンク障害を決定するステップをさらに備えることを特徴とする請求項１に記載の方法。
【請求項８】
無線リンク障害を判定するように構成された無線送受信ユニット（ＷＴＲＵ）であって、
間欠受信（ＤＲＸ）モードにおいて、ＤＲＸモードに対応する評価期間を使用して、一連の無線リンク測定を実行し、
前記一連の無線リンク測定に基づいて、所定の数の連続した同期外れ状態を検出し、
前記所定の数の連続した同期外れ状態を検出すると、タイマを開始し、
ＤＲＸモードにて動作している間に、非ＤＲＸモードに対応する評価期間を使用して、前記一連の無線リンク測定を継続し、非ＤＲＸモードに対応する前記評価期間は、ＤＲＸモードに対応する前記評価期間と異なっている
よう構成されたプロセッサ
を備えたことを特徴とするＷＴＲＵ。
【請求項９】
非ＤＲＸモードに対応する前記評価期間を使用する前記一連の無線リンク測定は、前記タイマが終了しまたは停止まで、継続されることを特徴とする請求項８に記載のＷＴＲＵ。
【請求項１０】
前記プロセッサは、
前記継続された前記一連の無線リンク測定に基づいて、同期している状態を検出し、
前記タイマを停止し、および、
非ＤＲＸモードに対応する前記評価期間を使用して、前記継続された前記一連の無線リンク測定を停止するようさらに構成されたことを特徴とする請求項８に記載のＷＴＲＵ。
【請求項１１】
前記プロセッサは、
前記タイマが満了したことを決定するとすぐに、無線リンク障害が検出されたと決定するようさらに構成されたことを特徴とする請求項８に記載のＷＴＲＵ。
【請求項１２】
前記継続された前記一連の無線リンク測定は、前記タイマの満了または停止まで、ＤＲＸオン期間およびＤＲＸスリープ時間の間に実行されることを特徴とする請求項８に記載のＷＴＲＵ。